(57)【要約】      （修正有）【課題】衝突した野球ボールを前下方へと跳ね返し拾うのに便利で、時間の浪費を回避でき、安全性を高めることもできる野球ボール用胸部保護パッドを提供する。【解決手段】保護パッド本体１、数本のバックベルト、頚部保護サポートパッド３、複数の頚部保護緩衝パッドブロック、複数の肩部緩衝パッドブロック、複数の胸部緩衝パッドブロック４４，４５、複数の腹部緩衝パッドブロック５１，５２、複数の腹部両側緩衝パッドブロック、複数の腹部下方緩衝パッドブロック６７、複数の通気布７等構成部材により組成され、複数の腹部緩衝パッドブロックの各腹部緩衝パッドブロックの内層低反発フォームパッドブロック５１１，５２１は、外層低反発フォームパッドブロック５１２，５２２より短く、内層低反発フォームパッドブロックの下方と外層低反発フォームパッドブロックとの間には、中空空間５０を形成する。【選択図】図５
0003183108.tif 000002
【実用新案登録請求の範囲】
【請求項１】
野球ボール用胸部保護パッドは、保護パッド本体、数本のバックベルト、頚部保護サポートパッドからなり、
該保護パッド本体は、適当な厚みの加熱成形を経ていないEVAフォームパッド体で、複数の通気孔を設置し、
該数本のバックベルトは、両側の上バックベルトと両側の下バックベルトにより組成され、
該両側の上バックベルトは、その上端と該保護パッド本体の両側ショルダー部位により連接し、しかも該各上バックベルトは、バックルを備え、
該両側の下バックベルトは、その片側と該保護パッド本体の下方両側の適当な部位によりそれぞれ連接し、該両側の下バックベルトは、バックルをそれぞれ備え、
該頚部保護サポートパッドは、該保護パッド本体の上端に設置され、使用者頚部の部位に対応し、該複数の頚部保護緩衝パッドブロックは、該保護パッド本体の上端にそれぞれ設置され、使用者頚部の両側部位に対応し、
複数の肩部緩衝パッドブロックは、該保護パッド本体の上端にそれぞれ設置され、使用者両側の肩部と肩部の周囲部位に対応し、
複数の胸部緩衝パッドブロックは、該保護パッド本体の上端にそれぞれ設置され、使用者の胸部と胸部の両側部位に対応し、
複数の腹部緩衝パッドブロックは、該保護パッド本体の上端にそれぞれ設置され、使用者の腹部部位に対応し、
上方両側に位置する緩衝パッドブロックは、底層の硬質プラスチック板、内層の低反発フォーム(Low Bounce Foam)パッドブロック、外層の低反発フォームパッドブロックにより構成され、
上方両側の緩衝パッドブロックの下方に位置する各緩衝パッドブロックは、内層の低反発フォーム(Low Bounce Foam)パッドブロックと外層の低反発フォーム(Low Bounce Foam)パッドブロックによりそれぞれ構成し、
複数の腹部両側緩衝パッドブロックは、該保護パッド本体の上端にそれぞれ設置され、使用者の腹部の両側部位に対応し、
複数の腹部下方緩衝パッドブロックは、該保護パッド本体の上端にそれぞれ設置され、使用者の腹部の下方部位に対応し、
複数の通気布は、該保護パッド本体、該頚部保護サポートパッド、該複数の頚部保護緩衝パッドブロック、該複数の肩部緩衝パッドブロック、該複数の胸部緩衝パッドブロック、該複数の腹部緩衝パッドブロック、該複数の腹部両側緩衝パッドブロック、該複数の腹部下方緩衝パッドブロックをミシン縫いでそれぞれ包み覆い、
複数の腹部緩衝パッドブロックの各腹部緩衝パッドブロックの内層低反発フォーム(Low Bounce Foam)パッドブロックは、該外層低反発フォーム(Low Bounce Foam)パッドブロックより短く、
内層低反発フォームパッドブロックの下方と該外層低反発フォームパッドブロックとの間には、中空空間を形成し、しかも該内層低反発フォームパッドブロックの材質は比較的軟らかく、該外層低反発フォームパッドブロックの材質は比較的硬く、
該通気布で、該保護パッド本体をミシン縫いにより包み覆った後は下向きの傾斜角度を形成し、しかも中空部位の状態を備え、
使用時に、野球ボールがその中の腹部緩衝パッドブロックに衝突すると、震動吸収効果を向上させられる他、衝突時には、下向きの傾斜角度により、野球ボールを使用者の前下方へと跳ね返るよう導引し、地面に落下させ、拾う際の便を図ることを特徴とする野球ボール用胸部保護パッド。
【考案の詳細な説明】
【技術分野】
【０００１】
本考案は野球ボール用胸部保護パッドに関し、特に複数の腹部緩衝パッドブロックを改良し、野球ボールの衝突を受けた時、吸震効果を発揮し、さらに野球ボールがバウンドした時には使用者の前下方へと落下するよう導引して捕球の便を図り、時間の浪費を回避でき、また安全性を高めることができる野球ボール用胸部保護パッドに関する。
【背景技術】
【０００２】
図１に示すように、従来の野球ボール用胸部保護パッドにおいて、保護パッド本体9は、複数の異なる部位の緩衝パッドブロック91、92、93、94、95、96、 97、98等構成部材により組成される。
こうして、使用時に野球ボールの衝突を受けても免震効果を発揮することができる。
【０００３】
しかし、調べてみると、正面から跳んで来た野球ボールが腹部緩衝パッドブロックに衝突し、跳ね返る時には、通常は、使用者(捕手など)の前方の不規則な位置に向かう。
これでは、捕球が容易でなく、時間の浪費となってしまい、使用者の面倒を引き起こしている。
さらに、跳ね返る野球ボールは、バッター、審判、野球観戦者等の野球場にいる人に向かう可能性もあり、安全性が憂慮される。
【０００４】
一方、本考案の考案人がかつて考案した特許文献１に開示する「野球ボール用胸部保護パッド」は衝突力を効果的に受止めることができ、通気効果と着用の快適性を備えている。
しかし、野球ボールが腹部緩衝パッドブロックに衝突すると、依然として使用者(捕手など)の前方の予期できない位置へと跳ね返ってしまう。
これでは、使用者の面倒を引き起こし、また安全性に悪影響が及ぶという欠点がある。
本考案は、従来の野球ボール用胸部保護パッドの上記した欠点に鑑みてなされたものである。
【先行技術文献】
【特許文献】
【０００５】
【特許文献１】米国特許第6,75,851号
【考案の概要】
【考案が解決しようとする課題】
【０００６】
本考案が解決しようとする課題は、野球ボールが腹部緩衝パッドブロックに衝突すると、衝突力吸収と免震効果を備える他、衝突時には野球ボールが使用者(捕手など)の前下方へと跳ね返り地面に落下するよう導引し、拾うのに便利で、時間の浪費を回避でき、しかも跳ね返る球が審判、バッター等球場関係者に衝突しないよう回避でき、これにより相対的に安全性を高めることができる野球ボール用胸部保護パッドを提供することである。
【課題を解決するための手段】
【０００７】
上記課題を解決するため、本考案は下記の野球ボール用胸部保護パッドを提供する。
野球ボール用胸部保護パッドは、保護パッド本体、数本のバックベルト、頚部保護サポートパッドからなり、
該保護パッド本体は、適当な厚みの加熱成形を経ていないEVAフォームパッド体で、複数の通気孔を設置し、
該数本のバックベルトは、両側の上バックベルトと両側の下バックベルトにより組成され、
該両側の上バックベルトは、その上端と該保護パッド本体の両側ショルダー部位により連接し、しかも該各上バックベルトは、バックルを備え、
該両側の下バックベルトは、その片側と該保護パッド本体の下方両側の適当な部位によりそれぞれ連接し、該両側の下バックベルトは、バックルをそれぞれ備え、
該頚部保護サポートパッドは、該保護パッド本体の上端に設置され、使用者頚部の部位に対応し、該複数の頚部保護緩衝パッドブロックは、該保護パッド本体の上端にそれぞれ設置され、使用者頚部の両側部位に対応し、
複数の肩部緩衝パッドブロックは、該保護パッド本体の上端にそれぞれ設置され、使用者両側の肩部と肩部の周囲部位に対応し、
複数の胸部緩衝パッドブロックは、該保護パッド本体の上端にそれぞれ設置され、使用者の胸部と胸部の両側部位に対応し、
複数の腹部緩衝パッドブロックは、該保護パッド本体の上端にそれぞれ設置され、使用者の腹部部位に対応し、
上方両側に位置する緩衝パッドブロックは、底層の硬質プラスチック板、内層の低反発フォーム(Low Bounce Foam)パッドブロック、外層の低反発フォームパッドブロックにより構成され、
上方両側の緩衝パッドブロックの下方に位置する各緩衝パッドブロックは、内層の低反発フォーム(Low Bounce Foam)パッドブロックと外層の低反発フォーム(Low Bounce Foam)パッドブロックによりそれぞれ構成し、
複数の腹部両側緩衝パッドブロックは、該保護パッド本体の上端にそれぞれ設置され、使用者の腹部の両側部位に対応し、
複数の腹部下方緩衝パッドブロックは、該保護パッド本体の上端にそれぞれ設置され、使用者の腹部の下方部位に対応し、
複数の通気布は、該保護パッド本体、該頚部保護サポートパッド、該複数の頚部保護緩衝パッドブロック、該複数の肩部緩衝パッドブロック、該複数の胸部緩衝パッドブロック、該複数の腹部緩衝パッドブロック、該複数の腹部両側緩衝パッドブロック、該複数の腹部下方緩衝パッドブロックをミシン縫いでそれぞれ包み覆い、
複数の腹部緩衝パッドブロックの各腹部緩衝パッドブロックの内層低反発フォーム(Low Bounce Foam)パッドブロックは、該外層低反発フォーム(Low Bounce Foam)パッドブロックより短く、
内層低反発フォームパッドブロックの下方と該外層低反発フォームパッドブロックとの間には、中空空間を形成し、しかも該内層低反発フォームパッドブロックの材質は比較的軟らかく、該外層低反発フォームパッドブロックの材質は比較的硬く、
該通気布で、該保護パッド本体をミシン縫いにより包み覆った後は下向きの傾斜角度を形成し、しかも中空部位の状態を備え、
使用時に、野球ボールがその中の腹部緩衝パッドブロックに衝突すると、震動吸収効果を向上させられる他、衝突時には、下向きの傾斜角度により、野球ボールを使用者の前下方へと跳ね返るよう導引し、地面に落下させ、拾う際の便を図る。
【考案の効果】
【０００８】
本考案の野球ボール用胸部保護パッドは、野球ボールがその中の腹部緩衝パッドブロックに衝突すると、衝突力吸収と免震効果を備える他、衝突時には野球ボールが使用者(捕手など)の前下方へと跳ね返り地面に落下するよう導引し、拾うのに便利で、時間の浪費を回避でき、しかも、跳ね返る球が審判、バッター等球場関係者に衝突しないよう回避でき、これにより相対的に安全性を高めることができる。
【図面の簡単な説明】
【０００９】
【図１】従来の野球ボール用胸部保護パッドの立体図である。
【図２】本考案実施例の立体図である。
【図３】本考案実施例において、保護パッド本体と複数の腹部緩衝パッドブロックを示す部分立体分解拡大模式図である。
【図４】本考案実施例において、保護パッド本体と複数の腹部緩衝パッドブロックを示す部分立体拡大図である。
【図５】本考案実施例の部分組合せ断面拡大図である。
【図６】本考案実施例の着用状態の部分背視図である。
【考案を実施するための形態】
【００１０】
以下に図面を参照しながら本考案を実施するための最良の形態について詳細に説明する。
【実施例】
【００１１】
図２〜６に示すように、本考案野球ボール用胸部保護パッドは、保護パッド本体1、数本のバックベルト2、頚部保護サポートパッド3からなる。
【００１２】
保護パッド本体1は、適当な厚みの加熱成形を経ていないEVAフォームパッド体で、複数の通気孔10を設置する(図３、５参照)。
【００１３】
数本のバックベルト2(図６参照)は、両側の上バックベルト21、22と両側の下バックベルト23、24により組成される。
【００１４】
該両側の上バックベルト21、22は、その上端と該保護パッド本体1の両側ショルダー部位11により連接し、しかも該各上バックベルト21 22は、バックル210、220を備える。
【００１５】
該両側の下バックベルト23、24は、その片側と保護パッド本体1の下方両側の適当な部位12によりそれぞれ連接し、該両側の下バックベルト23、24は、バックル230、240をそれぞれ備える。
【００１６】
該頚部保護サポートパッド3は、該保護パッド本体1の上端に設置され、使用者頚部の部位に対応する。
【００１７】
複数の頚部保護緩衝パッドブロック41は、該保護パッド本体1の上端にそれぞれ設置され、使用者頚部の両側部位に対応する。
【００１８】
複数の肩部緩衝パッドブロック42、43は、該保護パッド本体1の上端にそれぞれ設置され、使用者両側の肩部と肩部の周囲部位に対応する。
【００１９】
複数の胸部緩衝パッドブロック44、45、46、47は、該保護パッド本体1の上端にそれぞれ設置され、使用者の胸部と胸部の両側部位に対応する。
【００２０】
複数の腹部緩衝パッドブロック51、52は、該保護パッド本体1の上端にそれぞれ設置され、使用者の腹部部位に対応する。
【００２１】
上方両側に位置する緩衝パッドブロック51は、底層の、ポリエチレン(PE)材質などの硬質プラスチック板510(図３、５参照)、内層の低反発フォーム(Low Bounce Foam)パッドブロック511と外層の低反発フォームパッドブロック512により構成される。
【００２２】
上方両側の緩衝パッドブロック51の下方に位置する各緩衝パッドブロック52は、それぞれ内層低反発フォーム(Low Bounce Foam)パッドブロック521と外層低反発フォーム(Low Bounce Foam)パッドブロック522により構成する。
【００２３】
複数の腹部両側緩衝パッドブロック60、61、62、63、64、65、66は、該保護パッド本体1の上端にそれぞれ設置され、使用者の腹部の両側部位に対応する。
【００２４】
複数の腹部下方緩衝パッドブロック67、68、69は、該保護パッド本体1の上端にそれぞれ設置され、使用者の腹部の下方部位に対応する。
【００２５】
複数の通気布7は、該保護パッド本体1、該頚部保護サポートパッド3、該複数の頚部保護緩衝パッドブロック41、該複数の肩部緩衝パッドブロック42、43、該複数の胸部緩衝パッドブロック44、45、46、47、該複数の腹部緩衝パッドブロック51、52、該複数の腹部両側緩衝パッドブロック60、61、62、63、64、65、66、該複数の腹部下方緩衝パッドブロック67、68、69をミシン縫いでそれぞれ包み覆う。
【００２６】
図３〜５に示すように、該複数の腹部緩衝パッドブロック51 52の各腹部緩衝パッドブロック51、52の内層低反発フォーム(Low Bounce Foam)パッドブロック511、521は、該外層低反発フォーム(Low Bounce Foam)パッドブロック512、522より短い。
【００２７】
該内層低反発フォームパッドブロック511、521の下方と該外層低反発フォームパッドブロック512、522との間には、中空空間50を形成し (図３参照)
【００２８】
しかも、該内層低反発フォームパッドブロック511、521の材質は比較的軟らかく、該外層低反発フォームパッドブロック512、522の材質は比較的硬い。
【００２９】
該通気布7により、該保護パッド本体1とミシン縫いにより包んで覆った後、下向きの傾斜角度を形成し、しかも中空部位501(図５参照)の状態を備える。
【００３０】
使用時に、野球ボールがその中の腹部緩衝パッドブロック51、52に衝突すると、震動吸収効果を向上させられる他、衝突時には、下向きの傾斜角度により、野球ボールが使用者(捕手など)の前下方方向へと跳ね返り、地面に落下するよう導引でき、拾うのに便利で、時間の浪費を回避できる。
【００３１】
しかも、跳ね返る球が審判、バッター等球場関係者に衝突しないよう回避でき、これにより相対的に安全性を高めることができる。
【００３２】
上記したように、本考案は以下の効果を備える。
1.野球ボールが腹部緩衝パッドブロック51、52に衝突した時、衝突力吸収と免震効果を備える他、衝突時には、下向きの傾斜角度により、野球ボールを使用者(捕手など)の前下方へと跳ね返るよう導引し、地面に落下させ拾うのに便利で、時間の浪費を回避でき、しかも跳ね返る球が審判、バッター等球場関係者に衝突しないよう回避でき、これにより相対的に安全性を高めることができる。
【００３３】
2.保護パッド本体1は、3mm前後の厚みとするなど厚みを大幅に低減できるため、重量を軽減し、着用時の快適性を高めることができ、また野球ボールが衝突後に跳ね返る距離を短くすることができる。
【００３４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
1  保護パッド本体
10  通気孔
11  ショルダー部位
12  適当な部位
2  バックベルト
21、22  上バックベルト
210、220、230、240  バックル
23、24  下バックベルト
3  頚部保護サポートパッド
41  頚部保護緩衝パッドブロック
42、43  肩部緩衝パッドブロック
44、45、46、47  胸部緩衝パッドブロック
50  中空空間
501  中空部位
51、52  腹部緩衝パッドブロック
510  硬質プラスチック板
511、521  内層低反発フォームパッドブロック
512、522  外層低反発フォームパッドブロック
60、61、62、63、64、65、66  腹部両側緩衝パッドブロック
67、68、69  腹部下方緩衝パッドブロック
7  通気布
【図１】
0003183108.tif 000003
【図２】
0003183108.tif 000004
【図３】
0003183108.tif 000005
【図４】
0003183108.tif 000006
【図５】
0003183108.tif 000007
【図６】
0003183108.tif 000008